(57)【要約】本発明はハンドグリップに関し、互いに離間して配置された第１作動アム及び第２作動アムと；上記第１作動アム及び第２作動アムの間に傾斜して順次に配置され、それぞれの両端は回転軸を通じて、上記二つのの作動アムそれぞれに回転可能に連結される第１リンクアム及び第２リンクアムと；上記第１作動アム及び第２作動アムの接近を妨害する方向に弾性力を提供するために設置されるスプリング部材と；を含むハンドグリップを提供する。
2010537707.tif 000002
【特許請求の範囲】
【請求項１】
互いに離間して配置された第１作動アム（１１）及び第２作動アム（１２）と；
上記第１作動アム（１１）及び第２作動アム（１２）の間に傾斜して順次に配置され、それぞれの両端は回転軸を通じて上記二つの作動アム（１１、１２）それぞれに回転可能に連結される第１リンクアム（５２）及び第２リンクアム（５８）と；
上記第１作動アム（１１）及び第２作動アム（１２）の接近を妨害する方向に弾性力を提供するために設置されるスプリング部材（４０）と；を含むことを特徴とするハンドグリップ。
【請求項２】
上記第１作動アム（１１）の上部に上記スプリング部材（４０）が設置される本体部（２０）が備えられ、
上記スプリング部材（４０）は上記本体部（２０）に形成されたスプリング固定部に一端が固定され、他端は上記他端を支持した状態で動作して、上記スプリング部材（４０）を変形させるスプリング動作部に支持され、
上記第１リンクアム（５２）は上記スプリング動作部と作動可能に連結されることによって、上記二つの作動アム（１１、１２）の接近動作によって上記第１リンクアム５２が第１作動アムとの連結部分である回転軸（１４）を中心に回転する時、上記スプリング部材（４０）の他端が動作しながら弾性変形することを特徴とする請求項１に記載のハンドグリップ。
【請求項３】
上記スプリング動作部は上記回転軸（１４）の上部に位置する上記第１リンクアム（５２）の上端部（５５）に形成されたスプリング連結部（５６）を含み、
上記二つの作動アム（１１、１２）の接近移動の時、上記第１リンクアム（５２）が回転しながら、上記スプリング連結部（５６）に他端が連結されたスプリング部材（４０）を加圧変形させることを特徴とする請求項２に記載のハンドグリップ。
【請求項４】
上記スプリング部材（４０）は一端が上記スプリング固定部（６０）に固定され、他端は
上記回転軸（１４）の上部に延長される板状スプリング（４３）で形成され、
上記スプリング動作部は、上記回転軸（１４）の上部で上記板状スプリング（４３）の他端と接触する第１リンクアム５２の上端部５５の接触面を含み、上記上端部（５５）は上記二つの作動アム（１１、１２）の接近動作によって、上記第１リンクアム（５２）が回転する時ともに回転しながら、上記板状スプリング（４３）を曲げ変形させることを特徴とする請求項２に記載のハンドグリップ。
【請求項５】
上記スプリング部材（４０）は、上記二つの作動アム（１１、１２）の間に設置される圧縮
スプリング（４２）を含むことを特徴とする請求項１または請求項２に記載のハンドグリップ。
【請求項６】
上記圧縮スプリング（４２）は、一端は上記第１作動アム（１１）に回転可能に固定され、他端は第２作動アム（１２）に長手方向に固定位置の調節が可能に固定されることを特徴とする請求項５に記載のハンドグリップ。
【請求項７】
上記圧縮スプリング（４２）の他端の固定位置を調節することができる弾性調節部（１３）は、第２作動アム（１２）に形成される上記圧縮スプリング（４２）の他端が固定可能な複数の固定溝（１３ａ、１３ｂ、１３ｃ）または固定突起（１３ｄ、１３ｅ、１３ｆ）で形成され、または、第２作動アム（１２）に長手方向に沿って延長される軸（１５）と；上記軸（１５）を回転させる調節ノブ（１６）と；上記軸（１５）に締結されて、上記調節ノブ（１６）の回転によって昇降し、上記圧縮スプリング（４２）の他端が固定されるナット型部材（１７）で形成されることを特徴とする請求項６に記載のハンドグリップ。
【請求項８】
上記圧縮スプリング（４２）は上記圧縮スプリング（４２）の変形方向を案内して曲げを防止するガイド（７０）を備えることを特徴とする請求項７に記載のハンドグリップ。
【請求項９】
上記第１作動アム（１１）の上部に本体部（２０）が備えられ、上記本体部（２０）にはスプリング部材設置空間部（２４−１）が形成され、
上記本体部（２０）は、
上記スプリング部材設置空間部（２４−１）の第１作動アム方向端部に提供され、スプリング部材（４０）の一端が固定されるスプリング固定部と；
上記スプリング部材設置空間部（２４−１）の内部に摺動可能に設置され、上記スプリング固定部に対向して上記スプリング部材（４０）の他端が固定されるスプリング連結部（３３）を備えたスプリング動作部（３０）と；を含み、
上記スプリング部材（４０）は、両端がそれぞれ上記スプリング固定部及び上記スプリング
連結部に固定され、上記第１リンクアム（５２）の上端部（５５）が上記第１作動アム（１１）との連結部分である回転軸（１４）の上部に延長されて、上記スプリング動作部（３０）の第１作動アム方向側面と接触して、上記スプリング動作部（３０）を加圧することができるように配置されることを特徴とする請求項１に記載のハンドグリップ。
【請求項１０】
上記スプリング動作部（３０）は、上記本体部（２０）の第２作動アム方向端部に形成された貫通孔（２１）を通じて延長される軸形状の案内部材（２５−１）と連結され、上記案内部材（２５−１）が貫通する貫通孔（３１）の上部には支持ローラーが設置されることを特徴とする請求項９に記載のハンドグリップ。
【請求項１１】
上記第１作動アム（１１）の上部に本体部（２０）が備えられ、上記本体部（２０）は上記スプリング部材（４０）の一端が支持される側壁（２３）を備え、
上記本体部（２０）の側壁（２３）を貫通して長手方向に延長される案内部材（２５）と；
上記案内部材（２５）の上記第１作動アム方向側端部に固定され、上記スプリング部材（４０）を、他端を支持して上記側壁２３との間に上記スプリング部材（４０）に設置するスプリング支持部（２６）と；
上記側壁（２３）の上記スプリング部材（４０）の設置位置に対向する側面に位置する空間部（２４）に設置されて、上記案内部材（２５）と結合されて、上記スプリング支持部（２６）とともに移動するように設置されるスプリング動作部（３０）を含み、上記第１リンクアム（５２）の上端部（５５）が上記第１作動アム（１１）との連結部分である回転軸（１４）の上部に延長されて上記スプリング動作部（３０）の第１作動アム方向側面と接触して、上記スプリング動作部（３０）を加圧することができるように配置されることを特徴とする請求項１に記載のハンドグリップ。
【請求項１２】
上記スプリング動作部（３０）は、上記案内部材（２５）にねじ締結方式で固定されるナット型部材で形成されて、上記案内部材（２５）に沿って移動しながら位置調節ができることを特徴とする請求項１１に記載のハンドグリップ。
【請求項１３】
上記案内部材（２５）は、上記本体部（２０）の端部に形成された貫通孔（２１）を貫通して外側に延長され、上記貫通孔（２１）を通じて延長された上記案内部材（２５）の端部には、上記案内部材に沿って移動可能に締結され、上記二つの作動アムがリリースされた状態で、上記本体部（２０）によって位置が支持される弾性力調節ねじ（３５）が締結され、上記弾性力調節ねじ（３５）によって、上記スプリング支持部（２６）と上記側壁（２３）との間の距離が調節されることを特徴とする請求項１１または請求項１２に記載のハンドグリップ。
【請求項１４】
上記本体部（２０）の端部には上記貫通孔（２１）の上部に上記案内部材（２５）を支持する支持ローラーが設置されることを特徴とする請求項１３に記載のハンドグリップ。
【請求項１５】
上記弾性力調節ねじ（３５）の外面を貫通して内部の上記案内部材（２５）の位置を確認することができる開口（３６）が形成されたことを特徴とする請求項１３に記載のハンドグリップ。
【請求項１６】
上記本体部（２０）には、上記スプリング支持部の移動による上記スプリング部材（４０）の圧縮変形長さに対応して、上記スプリング部材（４０）の変形に必要となる握力を表示する握力表示部（８０）が備えられることを特徴とする請求項１１または請求項１２に記載のハンドグリップ。
【請求項１７】
上記握力表示部（８０）は、上記スプリング部材（４０）の上部に形成されたガイド溝（８１）を通じて移動が案内されるように設置され、端部が上記スプリング支持部（２６）に支持されるように設置されることによって、上記スプリング支持部（２６）が上記スプリング部材（４０）を圧縮するために移動する時ともに移動するラックギア（８２）と；上記ラックギア（８２）に結合するピニオンギア（８３）を備えて回転する回転針（８３）と；握力が表示されるスケール部（８５）と；を含むことを特徴とする請求項１６に記載のハンドグリップ。
【請求項１８】
上記ラックギア（８２）は上記スプリング支持部（２６）に附着されない形態で接触支持されることを特徴とする請求項１７に記載のハンドグリップ。
【発明の詳細な説明】
【技術分野】
【０００１】
本発明はハンドグリップに関し、二つの作動アムの相互接近運動方向とその反対方向に弾性力を提供することによって筋力向上運動ができるハンドグリップに関する。
【背景技術】
【０００２】
ハンドグリップは手や腕の筋力を鍛えるために用いる運動器機の一種で、取り扱い及び携帯が簡単であるので、老若男女を問わずいつ、どこでも手軽く使用することができるという利点がある。
【０００３】
ハンドグリップは、使用者が片手で一対の作動アムを把持した後、相互接近するように加圧して、力を除去するリリース動作をするが、スプリングが提供する弾性力を克服することができる力を繰り返して加える動作によって手や腕に筋力が付与される。
【０００４】
従来のハンドグリップとして、一対の作動アムを、ヒンジ点を中心に回転可能に結合し、ヒンジ点の上部または下部にスプリング部材を設置した構成のハンドグリップが公知されている。
【０００５】
しかし、このような公知の方式のハンドグリップの場合、作動アムの動作がヒンジ点を中心にした回転運動であるため、運動の時、手の平の全体に力が均一に分散されない傾向がある。また、このような公知のハンドグリップの場合、スプリング部材の設置位置が制限されて、スプリング部材の大きさ及び強度の変更が困難であるという短所がある。
【発明の概要】
【発明が解決しようとする課題】
【０００６】
本発明の目的は、二つの作動アムを二つのリンクアムで連結することによって、二つの作動アムが並んで配置された状態で、握力運動の時、一側の作動アムが他側の作動アムに対して並んだ状態で、接近及び離間する方式で運動することができるハンドグリップを提供することにある。
【０００７】
また、本発明の他の目的は、ハンドグリップの設計の時、スプリング部材に関連する設計変更が相対的に自由な構造のハンドグリップを提供することにある。
【課題を解決するための手段】
【０００８】
本発明は、上記目的を達するために、互いに離間して配置された第１作動アム及び第２作動アムと；上記第１作動アム及び第２作動アムの間に傾斜して順次に配置され、それぞれの両端は回転軸を通じて上記二つの作動アムのそれぞれに回転可能に連結される第１リンクアム及び第２リンクアムと；上記第１作動アム及び第２作動アムの接近を邪魔する方向に弾性力を提供するために設置されるスプリング部材と；を含むハンドグリップを提供する。
【０００９】
本発明によれば、上記第１作動アムの上部に、上記スプリング部材が設置される本体部が備えられ、上記スプリング部材は、上記本体部に形成されたスプリング固定部に一端が固定され、他端は上記他端を支持した状態で動作して、上記スプリング部材を変形させるスプリング動作部に支持され、上記第１リンクアムは上記スプリング動作部と作動可能に連結されることによって、上記二つの作動アムの接近動作によって上記第１リンクアムが第１作動アムとの連結部分である回転軸を中心に回転する時、上記スプリング部材の他端が動作しながら弾性変形される。
【００１０】
上記ハンドグリップは、上記スプリング動作部は、上記回転軸の上部に位置する上記第１リンクアムの上端部に形成されたスプリング連結部を含み、上記二つの作動アムの接近移動の時、上記第１リンクアムが回転しながら、上記スプリング連結部に他端が連結されたスプリング部材を加圧する。
【００１１】
また、上記スプリング部材は、一端が上記スプリング固定部に固定され、他端は上記回転軸の上部に延長される板状スプリングで形成され、上記スプリング動作部は、上記回転軸の上部で、上記板状スプリングの他端と接触する第１リンクアムの上端部接触面を含み、上記上端部は上記二つの作動アムの接近動作によって、上記第１リンクアムが回転する時共に回転しながら、上記板状スプリングを曲げ変形させる。
【００１２】
本発明によれば、上記スプリング部材は、上記二つの作動アムの間に設置される圧縮スプリングを含み、上記圧縮スプリングは、一端は上記第１作動アムに回転可能に固定され、他端は第２作動アムに長手方向に固定位置の調節が可能に固定される。
【００１３】
上記ハンドグリップは、上記第１作動アムの上部に本体部が備えられ、上記本体部には、スプリング部材設置空間部が形成され、上記本体部は、上記スプリング部材設置空間部の第１作動アム方向端部に形成され、スプリング部材の一端が固定されるスプリング固定部と；上記スプリング部材設置空間部の内部に摺動可能に設置され、上記スプリング固定部に対向して、上記スプリング部材の他端が固定されるスプリング連結部を備えるスプリング動作部と；を含み、上記スプリング部材は、両端がそれぞれ上記スプリング固定部及び上記スプリング連結部に固定され、上記第１リンクアムの上端部が上記第１作動アムとの連結部分である回転軸の上部に延長されて、上記スプリング動作部の第１作動アム方向側面と接触して、上記スプリング動作部を加圧することができるように配置される。
【００１４】
上記スプリング動作部は、上記本体部の第２作動アム方向端部に形成された貫通孔を通じて延長される軸形状の案内部材と連結され、上記案内部材が通過する貫通孔の上部には支持ローラーが設置される。
【００１５】
上記ハンドグリップ、上記第１作動アムの上部に本体部を備え、上記本体部は、上記スプリング部材の一端が支持される側壁を備え、上記本体部の側壁を貫通して長手方向に延長される案内部材と；上記案内部材の上記第１作動アム方向側端部に固定され、上記スプリング部材を、他端を支持して上記側壁との間に上記スプリング部材に設置するスプリング支持部と；上記側壁の上記スプリング部材設置位置に対向する側面に位置する空間部に設置され、上記案内部材と結合されて、上記案内部材に固定された上記スプリング支持部とともに移動するスプリング動作部と；を含み、上記スプリング部材は、上記スプリング支持部と上記側壁との間に長手方向に設置され、上記第１リンクアムの上端部が上記第１作動アムとの連結部分である回転軸の上部に延長されて、上記スプリング動作部の第１作動アム方向側面と接触して、上記スプリング動作部を加圧することができるように配置される。
【００１６】
上記スプリング動作部は、上記案内部材にねじ締結方式に固定されるナット型部材で形成され、上記案内部材に沿って移動しながら位置の調節が可能である。
【００１７】
本発明によれば、上記案内部材は、上記本体部の端部に形成された貫通孔を貫通して外側に延長され、上記貫通孔を通じて延長された上記案内部材の端部には、上記案内部材に沿って移動可能に締結され、上記二つの作動アムがリリースされた状態で上記本体部によって位置が支持される弾性力調節ねじが締結され、上記弾性力調節ねじによって上記スプリング支持部と上記側壁との間の距離を調節することによって、上記スプリング部材によって提供される弾性力の強度を調節可能に構成される。
【００１８】
上記弾性力調節ねじの外面を貫通して、内部の上記案内部材を見ることができる開口が形成され、弾性力の強度を確認することができるように構成される。
【００１９】
上記本体部には、上記スプリング支持部の移動による上記スプリング部材の圧縮変形の長さに対応して、上記スプリング部材の変形に必要な握力を表示する握力表示部を備える。上記握力表示部は、上記スプリング部材の上部に形成されたガイド孔を通じて移動が案内されるように設置され、端部が上記スプリング支持部に支持されるように設置されることによって、上記スプリング支持部が上記スプリング部材を圧縮するために移動する時、ともに移動するラックギアと；上記ラックギアに結合するピニオンギアを備えて回転する回転針と；握力が表示されたスケール部と；を含む。
【発明の効果】
【００２０】
本発明によれば、二つの作動アムの間の運動がヒンジ点を中心にした回転運動ではなく、二つの作動アムが並んだ状態で相互接近及び離間される運動ができるハンドグリップを提供することができる。従って、筋力運動の時、手の平の全体に力が均一に分散される。
【００２１】
また、弾性力を提供するスプリング部材が二つの作動アムの間ではなく、外側に設置されることによって、その構成をより簡単にすることができる。従って、相対的に大きかったり強い弾性力を有するスプリング部材を容易に設置することができる。なお、本発明の一実施形態によって、スプリング部材としてコイル型圧縮スプリングを適用する場合、一圧縮スプリングの内側に他の圧縮スプリングを設置されることができて、容易に強い弾性力を提供するハンドグリップを提供することができる。
【００２２】
また、本発明の一実施形態によれば、弾性力の強度と二つの作動アムとの間の距離の調節がより簡単なハンドグリップを提供することができる。
【図面の簡単な説明】
【００２３】
【図１】本発明によるハンドグリップのリンク構造を説明するための断面図。
【図２】本発明によるハンドグリップのリンク構造の動作断面図。
【図３】本発明の一実施形態によるハンドグリップの断面図。
【図４】図３に示された実施形態によるハンドグリップの動作断面図。
【図５】本発明の他の実施形態によるハンドグリップの断面図。
【図６】図５に示された実施形態によるハンドグリップの動作断面図。
【図７】本発明の他の実施形態によるハンドグリップの断面図。
【図８】図７に示された実施形態によるハンドグリップの動作断面図。
【図９】本発明の他の実施形態によるハンドグリップの断面図。
【図１０】図９に示された実施形態によるハンドグリップの変形例に対する断面図。
【図１１】図９に示された実施形態によるハンドグリップの他の変形例に対する断面図。
【図１２】本発明の他の実施形態によるハンドグリップの断面図。
【図１３】本発明の他の実施形態によるハンドグリップの斜視図。
【図１４】図１３に示された実施形態によるハンドグリップの断面図。
【図１５】図１３に示された実施形態によるハンドグリップの動作を説明するための断面図。
【図１６】図１３に示された実施形態によるハンドグリップの動作を説明するための断面図。
【図１７】図１３に示された実施形態によるハンドグリップの動作を説明するための断面図。
【図１８】本発明の他の実施形態によるハンドグリップの断面図。
【図１９】本発明の他の実施形態によるハンドグリップの断面図。
【図２０】図１９に示された実施形態によるハンドグリップの動作を説明するための断面図。
【図２１】図１９に示された実施形態によるハンドグリップの動作を説明するための断面図。
【図２２】図１９に示された実施形態によるハンドグリップの動作を説明するための断面図。
【発明を実施するための形態】
【００２４】
以下、添付された図面を参照して本発明の実施形態を詳しく説明する。本明細書において使用される方向は添付された図面を基準とする。
【００２５】
図１及び図２は本発明によるハンドグリップのリンク構造を説明するための断面図である。
【００２６】
図１及び図２によれば、本発明によるハンドグリップは、二つの作動アム１１、１２を、二つのリンクアム５２、５８で連結して構成される。
【００２７】
第１作動アム１１及び第２作動アム１２は、使用者が片手で把持することができる程度に離間して配置され、二つの作動アム１１、１２の間には第１リンクアム５２及び第２リンクアム５８が連結される。
【００２８】
第１リンクアム５２及び第２リンクアム５８は、第１作動アム１１及び第２作動アム１２の間に傾斜して順次に配置され、各リンクアム５２、５８の両端のそれぞれは、第１作動アム１１及び第２作動アム１２それぞれと回転軸によって回転可能に連結される。従って第１作動アム１１及び第２作動アム１２を使用者が片手で把持して力を加える場合、図２に示したように、一側の作動アムが他側の作動アムに対して並んだ状態を保持しながら、二つの作動アム１１、１２が互いに接近する動作をする。力を除去する場合にも、二つの作動アム１１、１２が互いに並んだ状態で互いに遠くなりながらリリースされる。
【００２９】
このような構成のハンドグリップによれば、筋力運動の時、二つの作動アム１１、１２が互いに並んだ状態で、接近及び離間する運動をするので、二つの作動アム１１、１２によって加えられる力が手の平の全体に均一に分散される長所がある。
図３には本発明によるハンドグリップの一実施形態が示されている。
【００３０】
図３によれば、図３に示された本発明の実施形態によるハンドグリップは、第１作動アム１１の上部に、スプリング部材４０が設置される本体部２０が形成される。スプリング部材４０としてコイル型引張スプリング４１を備える。引張スプリング４１は、二つの作動アム１１、１２が接近移動する時、引張されながら発生する弾性力を二つの作動アム１１、１２に提供する。
【００３１】
上記本体部２０にはピン形態のスプリング固定部６０が形成されて、引張スプリング４１の一端が固定される。
【００３２】
引張スプリング４１の他端は、スプリング動作部によって支持され、スプリング動作部の移動によって引張スプリング４１が変形されるように設置される。また、スプリング動作部は、第１リンクアム５２と作動可能に連結される。スプリング動作部は、スプリング部材の一側端部を他側端部に対して移動させて変形される動作に関係する構成である。
【００３３】
図３を参照してスプリング動作部について詳しく説明すれば、スプリング動作部は第１リンクアム５２の上端部５５に形成されたスプリング連結部５６を含む。
【００３４】
第１リンクアム５２は、第１リンクアム５２と第１作動アム１１との連結部分である回転軸１４を通じて上部に延長され、上部に延長された第１リンクアム５２の上端部５５には係止溝形態のスプリング連結部５６が備えられる。引張スプリング４１の他端はスプリング連結部５６に係止される。従って、スプリング連結部５６が左側に移動する場合、引張スプリング４１は引張されながら弾性力を発生させる。スプリング連結部５６は、図４に示したようにピン形態に形成されることができる。
【００３５】
図４を参照して図３に示したハンドグリップの動作を説明する。
【００３６】
使用者が二つの作動アム１１、１２を把持して力を加えて、第１作動アム１１及び第２作動アム１２を互いに接近移動させる場合、二つの作動アム１１、１２は互いに並んだ状態で接近移動し、この時、第１リンクアム５２の上端部５５が回転軸１４を中心に、時計の反対方向に回転する。この時、スプリング連結部５６が、一端がピン形態のスプリング固定部６０に固定された引張スプリング４１を引いて引張スプリング４１を変形させる。これによって発生する引張スプリング４１の弾性力が二つの作動アム１１、１２の間に提供される。
【００３７】
図５及び図６には本発明によるハンドグリップの他の実施形態が示されている。
【００３８】
図５及び図６に示したハンドグリップは、図３及び図４に示した実施形態と比べて、スプリング部材４０として板状スプリング４３が使用され、スプリング連結部５６が固定ピン形態に形成された点で相違する。他の構成は図３及び図４に示した実施形態と同一である。従って、二つの作動アム１１、１２を把持して接近移動させる場合、二つの作動アム１１、１２が並んでいる状態で接近移動し、この時、第１リンクアム５２の上端部５５に形成されたスプリング連結部５６が回転軸１４に対して、時計の反対方向に回転しながら、板状スプリング４３を引いて変形させる。この時発生する弾性力が二つの作動アム１１、１２の接近を妨害する力を提供し、この力を克服しながら筋力運動が行われる。
【００３９】
図７及び図８には本発明によるハンドグリップの他の実施形態が示されている。図７及び図８に示したハンドグリップは、スプリング部材として板状スプリング４３を使用する他の変形例に関する。
【００４０】
板状スプリング４３の一端は、本体部２０内の溝形態のスプリング固定部６０に固定される。
【００４１】
板状スプリング４３の他端は、上記回転軸１４の上部に延長され、スプリング動作部を形成する第１リンクアム５２の上端部５５と接触する。第１リンクアム５２の上端部５５の接触面５７は、板状スプリング４３と面接触し、第１リンクアム５２の回転の時、上端部５５の接触面が回転しながら板状スプリング４３を上側の方向に押し上げる。
【００４２】
従って、図７に示した状態で、二つの作動アム１１、１２が接近移動すると、第１リンクアム５２が回転軸１４を中心に回転しながら、上端部５５が板状スプリング４３の他端を加圧して、板状スプリング４３を曲げ変形させ、板状スプリング４３の変形によって発生する弾性力が二つの作動アム１１、１２に提供される。
【００４３】
図９には本発明によるハンドグリップの他の実施形態が示されている。
【００４４】
図９に示した実施形態によれば、スプリング部材４０として圧縮スプリング４２が二つの作動アムの間に設置される。
【００４５】
圧縮スプリング４２の一端は、第１作動アム１１の下端に回転可能に固定され、リンクアム５２、５８の傾斜方向と交差する方向に延長されて、他端が第２作動アム１２に回転可能に固定される。この時、圧縮スプリング４２の他端は、第２作動アム１２の長手方向に固定位置を調節可能に設置されることができる。
【００４６】
圧縮スプリング４２の他端の固定位置を調節することができる弾性力調節部１３は、圧縮スプリング４２の他端が固定可能な複数の固定溝１３ａ、１３ｂ、１３ｃで形成される。圧縮スプリング４２の他端は第１固定溝１３ａ、第２固定溝１３ｂ、または第３固定溝１３ｃに装着され、その位置によって弾性力が調節される。圧縮スプリング４２の他端が第１固定溝１３ａに挿入固定されたケースは、第３固定溝１３ｃに挿入されたケースに比べて、より大きい弾性力を提供する。そのため、圧縮スプリング４２の他端が第１固定溝１３ａに挿入されたケースが、作動アム１１、１２の接近運動の時発生する圧縮スプリング４２の圧縮変形量が第３固定溝１３ｃに挿入されたケースより大きい。
【００４７】
本発明によれば、スプリング部材４０は圧縮スプリング４２の変形方向を案内するガイド７０を含む。図９によれば、ガイド７０は第１ガイド７２及び第２ガイド７５を含み、圧縮スプリング４２は、第１ガイド７２と第２ガイド７５との間に介在される。第１ガイド７２は圧縮スプリング４２の一端を支持し、第１作動アム１１の下端に回転可能に固定される。第１ガイド７２の軸７３は、中空軸に形成され、圧縮スプリング４２の内部に延長される。第１ガイド７２に対応される第２ガイド７５は、圧縮スプリング４２の他端を支持し、固定溝１３ａ、１３ｂ、１３ｃに装着される半球形端部を有する。第２ガイド７５の軸７６は、圧縮スプリング４２の内部に延長されて、第１ガイド７２の軸７３の中空７４の内部に延長される。圧縮スプリング４２が二つの作動アム１１、１２の接近動作によって圧縮される時、第２ガイド７５の軸７６は、第１ガイド７２の軸７３の中空７４に沿って摺動する。このようにガイド７０は圧縮スプリング４２の変形方向を案内して、圧縮スプリング４２が作動アム１１、１２の外部方向に曲げられることを防止する。
【００４８】
本発明によれば、弾性力調節部１３は固定溝１３ａ、１３ｂ、１３ｃの形態ではなく、固定突起１３ｄ、１３e、１３ｆの形態に形成されることができる。図１０は弾性力調節部１３が固定突起１３ｄ、１３e、１３ｆ形態に形成された変形例を示す図面であり、他の構成は図９に示した実施形態と同一である。図１０に示したように、弾性力調節部１３が固定突起１３ｄ、１３e、１３ｆに形成される場合、第２ガイド７５は固定突起１３ｄ、１３e、１３ｆの形状に対応される半球形溝を備えた形態に形成される。
【００４９】
また、本発明の実施形態によれば、二つの作動アムの間に設置される圧縮スプリング４２は、図１２に示したよう、弾性力調節部を備えない形態に設置されることも可能である。
【００５０】
図１１は本発明によるハンドグリップの他の実施形態を示した図面で、弾性力調節部の変形例を図示している。
【００５１】
図１１によれば、弾性力調節部１３は第２作動アム１２の長手方向に延長される軸１５、上記軸１５を回転させる調節ノブ１６と、上記軸１５に締結されて、上記調節ノブ１６の回転によって昇降するナット型部材１７とを含む。圧縮スプリング４２の他端は、ナット型部材１７に回転可能に連結されて、調節ノブ１６の回転によって昇降する。調節ノブ１６を回転させてナット型部材１７は軸１５に沿って昇降され、これを通じて二つの作動アム１１、１２の接近移動の時の圧縮スプリング４２の変形量を調節して、二つの作動アム１１、１２の間に作用する弾性力の強度を調節する。
【００５２】
図１２は本発明によるハンドグリップの他の実施形態を示した図面で、スプリング部材として引張スプリング４１及び圧縮スプリング４２を全て有する形態を示している。
【００５３】
図１２に示した実施形態によれば、圧縮スプリング４２は弾性力調節部を備えていない形態に示されている。従って、第２ガイド７５の端部の半球形部分が第２作動アム１２に形成された一つの半球形溝１３ｇに装着されて回転可能に支持される。しかし、前述したように、圧縮スプリング４２の他端の位置を調節して弾性力の強度を調節可能に構成することも可能である。
【００５４】
図１３は本発明の他の実施形態によるハンドグリップの見掛け斜視図であり、図１４は図１３に示したハンドグリップの断面図である。
【００５５】
図面によれば、第１作動アム１１及び第２作動アム１２は、使用者が片手で把持可能に離間して位置し、二つの作動アム１１、１２は、二つの作動アム１１、１２の間に傾斜して順次に配置された第１リンクアム５２及び第２リンクアム５８で連結されている。
【００５６】
本発明によれば、第１作動アム１１の上部に本体部２０が形成され、本体部２０にスプリング部材４０を本体部２０の長手方向に沿って設置する。このような構成は、弾性力を提供するスプリング部材４０を二つの作動アム１１、１２の間でなく、作動アム１１、１２の外部側、具体的に第１作動アム１１の上部に位置させることによって、スプリング部材４０の設置を容易にし、多様な大きさ及び強度のスプリング部材を備えたハンドグリップを容易に設計することができる。また、本発明の実施形態によれば、スプリング部材４０は設置方向に沿って長手方向に変形するように設置されるので、より安定的にスプリング部材を動作させることができる。このような構成は、ハンドグリップのスプリング部材として、大きくて、弾性力の強いスプリング部材を採用することを可能にさせる。
【００５７】
一方、変形例として、図１２に示したように、二つの作動アム１１、１２の間にスプリング部材をさらに有するハンドグリップを設計することも可能である。
【００５８】
また、図１３及び図１４によれば、第１作動アム１１の上部に形成された本体部２０には、側壁２３が備えられる。側壁２３の左側に空間部２４が提供される。また、側壁２３の右側には、スプリング部材４０が設置されるスプリング設置部を形成する。従ってスプリング部材４０は側壁２３の右側面に一端が支持され、他端は下述するスプリング支持部２６に動作可能に支持される。
【００５９】
スプリング部材４０は本体部２０の長手方向に設置され、側壁２３とスプリング支持部２６との間に設置されて変形され、このような構成によって、スプリング部材４０が長手方向に変形する。従来のヒンジピンを中心に二つの作動アムが互いに連結され、二つの作動アムの間にスプリング部材が設置された構成では、二つの作動アムの接近移動の時、スプリング部材が外側方向に曲げられないように、両端部を作動アムに回転可能に支持する構造を必要とする。しかし、本発明の実施形態によれば、スプリング部材は長手方向のみ変形するので、より単純な構造でスプリング部材の両端部を支持することができる。
【００６０】
本発明の実施形態によれば、軸形状の案内部材２５が提供されて、本体部２０の側壁２３を貫通して長手方向に延長される。案内部材２５はスプリング部材４０を貫通して右側に延長され、端部にスプリング部材４０の他端を支持するワッシャー形態のスプリング支持部２６が備えられる。
【００６１】
本発明の実施形態によれば、スプリング部材４０は圧縮スプリング４４を含む。スプリング部材４０は圧縮スプリング４４の内部に圧縮スプリングをさらに含むことができる。
【００６２】
従って、スプリング支持部２６が案内部材２５によって側壁２３の方向に移動される時、スプリング部材４０が圧縮される。従って、スプリング支持部２６は圧縮スプリング４４を加圧するスプリング加圧部であり、側壁２３はスプリング固定部である。
【００６３】
案内部材２５は、本体部２０の側壁２３を貫通して移動可能に設置され、側壁２３の左側、即ち、圧縮スプリング４４の設置位置に対向する側面方向に位置された空間部２４には、円盤タイプのスプリング動作部３０が配置されて、案内部材２５と結合される。従ってスプリング動作部３０を左側方向に移動させる場合、案内部材２５及び案内部材２５の端部に結合されたスプリング支持部２６がともに左側に移動しながら、側壁２３とスプリング支持部２６との間に設置された圧縮スプリング４４を圧縮させる。
【００６４】
好ましくは、スプリング動作部３０は案内部材２５にねじ締結方式で固定されるナット型部材で形成される。案内部材２５の外周面にねじ山２７が形成されて、スプリング動作部３０の中心にはねじ山が形成されたナット孔が形成されて、案内部材２５とスプリング動作部３０はねじ締結方式に固定される。従って、スプリング動作部３０の回転操作によって、スプリング動作部３０は案内部材２５に沿って移動しながら位置調節が可能である。
【００６５】
本発明の一実施形態によれば、スプリング動作部３０は第１リンクアム５２に作動可能に連結される。スプリング動作部３０は案内部材２５及びスプリング支持部２６によって圧縮スプリング４４の他端と作動可能に連結されている。従って第１リンクアム５２は、スプリング動作部３０、案内部材２５及びスプリング支持部２６の結合関係によって、圧縮スプリング４４の他端と作動可能に連結される。
【００６６】
第１リンクアム５２は、第１作動アム１１との連結部分である回転軸１４の上部に延長され、上端部５５が側壁２３の下部に延長されて、スプリング動作部３０の右側面と接触可能に配置される。従って第１リンクアム５２の上端部５５は、スプリング動作部３０を押して移動させる動作ができる。この時、第１リンクアム５２の上端部５５にはローラーのような別途の接触補助部材を備えることができる。第１リンクアム５２の回転軸１４を中心にした時計の反対方向への回転は、上端部５５の接触面によって、スプリング動作部３０に伝達されて、スプリング動作部３０を左側方向に移動させ、二つの作動アム１１、１２がリリースされる時には圧縮スプリング４４の復元力によって、スプリング動作部３０が復帰しながら、上端部５５を左側方向に押す。このような原理によって、二つの作動アム１１、１２を接近させ、リリースする運動が圧縮スプリング４４の圧縮及び復元動作と連結される。
【００６７】
本発明は二つの作動アム１１、１２が第１リンクアム５２及び第２リンクアム５８によって連結されるので、二つの作動アム１１、１２が互いに並んだ状態で互いに接近及び離間される運動ができる。これは、従来のハンドグリップでは期待できないもので、このような作動アム１１、１２の運動方式の変化は、運動感の向上と、握力運動の時、指または手の平の全体に力が均一に伝達されながら握力運動が可能になる。
【００６８】
本発明の実施形態によれば、ハンドグリップはスプリング部材４０によって提供される弾性力の強度と、作動アムの間の距離を調節することができるように構成される。
【００６９】
本発明によれば、案内部材２５は外周面にねじ山２７が形成された長形ボルトで形成され、スプリング動作部３０は長手方向に位置調節が可能に、案内部材２５にねじ締結方式に結合されている。従ってスプリング動作部３０は、回転によって、案内部材２５の上での位置調節が可能である。
【００７０】
スプリング動作部３０は、第２作動アム１２に第１リンクアム５２を通じて作動可能に連結されているので、スプリング動作部３０の位置調節は、第２作動アム１２と第１作動アム１１との間の距離に影響を及ぼす。従って、作動アム１１、１２の間の距離が調節される。例えば、スプリング動作部３０が左側に移動する場合、第１リンクアム５２の上端部５５がスプリング動作部３０と接触するためには、回転軸１４を中心に時計の反対方向に回転する。従って第２作動アム１２は第１作動アム１１に接近する方向に位置が調節される。
【００７１】
一方、本発明によれば、案内部材２５は、本体部２０に右側端部に形成された貫通孔２１を通じて外側に延長され、延長された案内部材２５の端部には、弾性力調節ねじ３５が締結される。弾性力調節ねじ３５は案内部材２５にねじ締結方式で結合されて、案内部材２５に沿って位置調節が可能である。
【００７２】
弾性力調節ねじ３５は、二つの作動アム１１、１２に力を加えない状態、即ち、リリース状態で、本体部２２と接触して位置が支持される。弾性力調節ねじ３５は、案内部材２５に固定された状態で本体部２０と接触するので、案内部材２５の右側方向の移動変位に関係する。
【００７３】
従って、弾性力調節ねじ３５の調節を通じて、弾性力調節ねじ３５に対して案内部材２５を左側方向に移動させる場合、スプリング支持部２６が左側に移動して、スプリング支持部２６と本体部２０の側壁２３との間の距離が短くなる。リリース状態での側壁２３とスプリング支持部２６との間の距離は、リリース状態での圧縮スプリング４４の長さと同じである。
【００７４】
作動アム１１、１２の相互接近運動の時提供される弾性力の強度は、スプリング部材４０の圧縮変形によって左右される。従って、二つの作動アム１１、１２に力を加えない状態であるリリース状態で、側壁２３とスプリング支持部２６との間の距離が縮小されて、圧縮スプリング４４が変形された状態で保持される場合、二つの作動アム１１、１２に力を加えて圧縮スプリング４４を変形させるためには、既に変形された長さによって発生する力を超える力が必要であるため、二つの作動アム１１、１２の接近移動に必要な力が増加される。このように、弾性力調節ねじ３５はリリース状態でのスプリング支持部２６の位置を調節することができるようにして、リリース状態から二つの作動アム１１、１２を接近移動させるために必要な力の強度を調節することができる。このように、二つの作動アム１１、１２を接近移動させるために必要な力を調節することをハンドグリップの強度調節または弾性力の強度調節と言う。
【００７５】
このように、本発明の実施形態によるハンドグリップは、弾性力調節ねじ３５及びスプリング動作部３０を回転させて、使用者の筋力運動に適合する弾性力の強度と作動アム１１、１２間の距離を調節することができる。
【００７６】
本発明によれば、弾性力調節ねじ３５は外面を貫通する開口３６を備える。開口３６は弾性力調節ねじ３５の内部を見るウィンドウ（ｗｉｎｄｏｗ）で、上記開口３６を通じて弾性力調節ねじ３５によって調節された案内部材２５の位置が分かることができるように構成されている。弾性力調節ねじ３５に対する案内部材２５の位置は弾性力の強度に関係するので、例えば、開口３６の周辺にスケール３７が表示される場合、案内部材２５の基準点（例えば、端部位置または案内部材の外周面に表示される線）に対応されるスケールから調節された弾性力の強度をより明確に認識することができる。
【００７７】
本発明によれば、本体部２０の端部には、貫通孔２１の上部に案内部材２５の移動を支持する支持ローラー３２が設置される。スプリング動作部３０は第１リンクアム５２の上端部５５と接触して、二つの作動アム１１、１２を接近移動させる使用者の力が伝達され、接触位置がスプリング動作部３０の中心点の下側に位置するので、スプリング動作部３０の中心点を中心にモーメントが作用される。このような作用モーメントによって案内部材２５が貫通孔２１の内面に接触して、本体部２２を傷つけることが発生することができる。従って、作用されるモーメントを相殺することができるように、支持ローラー３２を設置する。支持ローラー３２によって案内部材２５の長手方向の移動が案内されるようにすることによって、案内部材２５が本体部２０を傷つけことを防止することができる。案内部材２５の外周面にねじ山が形成された場合、支持ローラー３２の外周面にも対応するねじ山を備えて、ねじ山が損傷されないようにする。
【００７８】
図１３、図１４、及び図１５乃至図１７によれば、図示されたハンドグリップの動作をより詳細に説明する。
【００７９】
図１４及び図１５を比べると、図１４は二つの作動アム１１、１２が接近移動されないリリース状態を示し、図１５は使用者が作動アム１１、１２を把持して相互接近させた状態を示している。
【００８０】
図１５で示したように、図１４の状態で二つの作動アム１１、１２を相互接近させれば、第１リンクアム５２の上端部５５の接触面がスプリング動作部３０を押して左側方向に移動させる。また、スプリング動作部３０と結合された案内部材２５がスプリング支持部２６とともに左側方向に移動する。従って、本体部２０の側壁２３とスプリング支持部２６との間に設置された圧縮スプリング４４が圧縮されながら弾性力を提供する。
【００８１】
上述したように、本発明の実施形態によれば、スプリング部材４０は、二つのコイル型圧縮スプリングでもよい。本体部２０の側壁２３とスプリング支持部２６との間に一つのコイル型圧縮スプリング４４の内側にコイル型圧縮スプリングがさらに設置してもよい。従って、本発明の実施形態によれば、構造や形状の変更なしに、スプリング部材の数を増加させることによって、より大きい弾性力を提供するハンドグリップを提供することが可能になる。ハンドグリップを選手用と万人向け、子供向けなど、使用者の筋力に相応しい多様なタイプで提供することができる。
【００８２】
図１４と図１６を比べると、図１６は図１４の状態に比べて弾性力の強度が大きく調節された状態を示す。弾性力調節ねじ３５を回転させてリリース状態でのスプリング支持部２６の位置を左側に移動させる場合、リリース状態での圧縮スプリング４４の長さが減少される。圧縮スプリング４４の長さの減少は、リリース状態でも圧縮スプリング４４が変形された状態で保持されることを意味する。
【００８３】
従って、二つの作動アム１１、１２の動作の時に必要な力が図１４に示した場合より大きくなる。
【００８４】
案内部材２５の調節位置は開口３６を通じて確認可能である。スケール３７に対応される基準点によって調節された弾性力の強度を数値で確認することができる。図１４及び図１６を比べると、案内部材２５の端部位置が肉眼で確認されながら、使用者が弾性力の調節状態を確認可能であることが分かる。もちろん上述したように、案内部材２５の端部位置に限定されないで、多様な基準点をスケール３７に対応させることができる。
【００８５】
一方、弾性力調節ねじ３５の調節による弾性力の強度調節過程を説明すれば、図１５に示したように、二つの作動アム１１、１２が互いに接近移動させた状態で行われる。図１５に示した状態で弾性力調節ねじ３５は力を受けないので、容易に操作されることができる。弾性力調節ねじ３５が調節した後、二つの作動アム１１、１２に加えられた力を除去して、二つ作動アム１１、１２をリリースさせる。使用者が弾性力調節ねじ３５に対して案内部材２５を左側に移動させる場合、案内部材２５に締結されたスプリング動作部３０がともに左側に移動するので、二つの作動アム１１、１２の間の離間距離が狭くなる。従って、二つの作動アム１１、１２の間の距離を一定にするためには、スプリング動作部３０を回転させて、右側に移動させることによって、二つの作動アム１１、１２の間の距離がまた遠くなるように調節することが必要である。このような調節過程を通じて使用者は二つの作動アムの間の距離及び弾性力の強度を所望の状態に容易に調節することができる。
【００８６】
図１５及び図１７を比べると、二つの作動アム１１、１２を完全に接近移動させた場合に、弾性力調節ねじ３５によって弾性力の強度が大きく調節された図１７の状態で、圧縮スプリング４４の長さがもっと短いことが分かる。従って、図１６の状態から図１７の状態に、二つの作動アム１１、１２を接近移動させる時に必要な力が、図１４の状態から図１５の状態に、二つの作動アム１１、１２を接近移動させる時に必要な力より大きいことが確認できる。
【００８７】
図１８は本発明の他の実施形態を示している。図１５に示した実施形態によるハンドグリップでは、スプリング部材４０として引張スプリング４１が提供される。
【００８８】
本体部２０には、少なくとも一側面に開口され、スプリング部材を設置するための空間部２４−１が長手方向に形成され、スプリング部材設置空間部２４−１の開口された端部には引張スプリング４１の一端が固定されるスプリング固定部６０が提供される。スプリング固定部６０はスプリング固定リング６２が備えられた端部キャップ６１で形成される。スプリング部材設置空間部２４−１内に関連部品を予め設置し、端部キャップ６１が締結される。
【００８９】
本体部２０の空間部２４−１内にはスプリング動作部３０が摺動可能に設置される。スプリング動作部３０の上記スプリング固定部６０を向く側面には、スプリング連結部３３が備えられる。スプリング動作部３０のスプリング固定部６０を向く側面には第１リンクアム５２の上端部５５が接触されて配置される。
【００９０】
スプリング動作部３０が空間部２４−１で摺動可能になるように、スプリング動作部３０の上下部面にガイド突起３１が形成され、本体部２０の空間部２４−１の内部の上下部面には、上記ガイド突起３１に対応されるガイドチャンネル２２が形成される。
【００９１】
引張スプリング４１は、両端部がスプリング固定リング６２及びスプリング連結部３３を結合した状態で、スプリング固定部６０とスプリング動作部３３との間に設置される。
【００９２】
本発明によれば、スプリング動作部３０の他側面、即ち、スプリング部材４０の設置位置の反対側の側面に案内部材２５−１が連結されて、本体部２０の端部の貫通孔２１を通じて延長される。また、上記本体部２０の端部には、貫通孔２１の上部に案内部材の上部方向へ支持ローラー３２が内設される。支持ローラー３２の機能は既に説明した。
【００９３】
図１８に示したハンドグリップの動作を詳しく説明すると、二つの作動アム１１、１２を手で把持して相互接近させる場合、二つの作動アム１１、１２が並んだ状態で接近移動しながら、第１リンクアム５２及び第２リンクアム５８が動作する。この時、第１リンクアム５２の上端部５５がスプリング動作部３０を左側方向に押す。これによって、スプリング動作部３０が引張スプリング４１の一端を引き、これによって発生する弾性力が二つの作動アム１１、１２に提供される。この力を克服しがら使用者は持続的に接近及び離間運動をし、このような過程を通じて筋力が向上される。
【００９４】
図１９乃至図２２は本発明の実施形態によって、握力表示部８０をさらに備えたハンドグリップの例を示している。本発明によるハンドグリップは握力表示部８０を備えて、使用者がハンドグリップに加えた力を肉眼で確認可能に構成される。
【００９５】
握力表示部８０は、圧縮スプリング４４の変形長さに対応して回転する回転針８４と上記回転針８４の位置に対応する握力が表示されたスケール部８５を含む。
【００９６】
図１９によれば、本体部２０には、圧縮スプリング４４の上部にガイド孔８１が形成され、上記ガイド孔８１にはラックギア８２が摺動可能に設置される。ラックギア８２の一側端部はスプリング支持部２６に接触して支持されるので、スプリング支持部２６がスプリング圧縮方向に移動する場合、ラックギア８２はともに移動する。
【００９７】
回転針８４は上記ラックギア８２の移動によって回転し、端部にラックギア８２と歯形結合するピニオンギア８３を備える。従って、ラックギア８２の移動によって、回転軸によって支持されたピニオンギア８３が回転しながら回転針８４が回転する。スケール部８５は角度計のように半円形の表面にスケールが表示された形態に形成される。従って、回転針８４が示すスケールから使用者がハンドグリップに加える握力が分かる。
【００９８】
握力表示部８０の動作を図１９及び図２０を参照してより詳しく説明する。図１９に示した状態は、リリース状態で二つの作動アム１１、１２が離間された状態である。
【００９９】
この状態で使用者が二つの作動アム１１、１２を片手に把持して力を加えれば、圧縮スプリング４４が圧縮されながら、二つの作動アム１１、１２が互いに接近動作する。二つの作動アム１１、１２が接近動作される程度によってスプリング支持部２６が移動して圧縮スプリング４４を圧縮させ、ラックギア８２がスプリング支持部２６とともに移動する。ラックギア８２の移動はスプリング支持部２６の変位及びこれによる圧縮スプリング４４の変形に対応する。ラックギア８２の移動はピニオンギア８３を回転させる。従って、図１９に示したように、二つの作動アム１１、１２に接近移動のために使用者が二つの作動アムに加えた握力を回転針８４が示すスケールを通じて分かる。
【０１００】
この場合、好ましくは、ラックギア８２はスプリング支持部２６と互いに附着されるのはなく、単純に接触される形態に設置される。従って、二つの作動アム１１、１２をリリースさせることによって、圧縮スプリング４４が復元してスプリング支持部２６が右側に移動する場合にもラックギア８２及び回転針８４は移動された位置に保持される。従って、図２０の状態で二つの作動アム１１、１２をリリースさせた場合にも使用者が二つの作動アム１１、１２を把持して加えた握力が分かる。
【０１０１】
回転針８４をゼロ状態に復元しようとする場合、使用者は回転針８４を時計の反対方向に回転させ、これによってピニオンギア８３が回転してラックギア８２を右側方向に移動させてラックギア８２をスプリング支持部２６と接触される位置に移動する。
【０１０２】
一方、図２１を参照して、弾性力調節ねじ３５によってハンドグリップによって提供される弾性力の強度が強く調節された場合を詳しく説明すると、弾性力調節ねじ３５の回転によって、二つの作動アム１１、１２のリリース状態で、スプリング支持部２６の位置が図１９に比べて、左側に移動された状態になる場合、回転針８４はハンドグリップで初期に設定された握力を表示する。即ち、表示された握力の以上の力を加えない場合、作動アム１１、１２は接近移動しない。回転針８４によって表示された力の以上に加圧する場合、作動アム１１、１２が接近動作し、作動アム１１、１２に加えられた力は、図２２のように、握力表示部８０を通じて肉眼で確認することができる。図１９及び図２１を比べると、弾性力調節ねじ３５によって二つの作動アム１１、１２が完全に接近するのに必要な握力が調節されることができることをさらに確認することができる。
【０１０３】
本発明について提示された実施形態で、簡潔性のために重複された部材に対する説明を省略した。本発明について具体的に説明された実施形態で、構成要素の変更、変形、及び均等物への置換が本発明が属する技術分野における技術者によって実施可能であるが、これは特許請求の範囲で説明された本発明の技術思想の範囲を逸脱しない。本発明の特許請求の範囲は実施形態として説明された例に限定されないで、特許請求の範囲に記載した技術思想の範囲内での変形は本発明の権利範囲に属するべきである。
【図１】
2010537707.tif 000003
【図２】
2010537707.tif 000004
【図３】
2010537707.tif 000005
【図４】
2010537707.tif 000006
【図５】
2010537707.tif 000007
【図６】
2010537707.tif 000008
【図７】
2010537707.tif 000009
【図８】
2010537707.tif 000010
【図９】
2010537707.tif 000011
【図１０】
2010537707.tif 000012
【図１１】
2010537707.tif 000013
【図１２】
2010537707.tif 000014
【図１３】
2010537707.tif 000015
【図１４】
2010537707.tif 000016
【図１５】
2010537707.tif 000017
【図１６】
2010537707.tif 000018
【図１７】
2010537707.tif 000019
【図１８】
2010537707.tif 000020
【図１９】
2010537707.tif 000021
【図２０】
2010537707.tif 000022
【図２１】
2010537707.tif 000023
【図２２】
2010537707.tif 000024
【国際調査報告】
2010537707.tif 000025
2010537707.tif 000026